(57)【要約】  身体障害者又は負傷者及び様々な選択された姿勢を支えるべく容易に設定可能な脊柱支持装具が提供される。脊柱装具は、複数の回転可能に連結する部品（１０１）を備える。回転可能に連結する部品は、装具の長さに沿ってユーザにより設定可能な支持湾曲を形成するべく様々なユーザにより設定可能な回転オフセットで列をなして互いに連結することができる。一実施形態では、回転可能に連結する部品は、その内側（１０４、１０５）及びその外側（１０６）で横に隣接するプレート（１０８）と互いに連結し、これにより装具の構造完全性の強化のために各連結部分をその内側と外側との両方で支持する部分を画定する。【選択図】図４
2020508836.tif 000002
【特許請求の範囲】
【請求項１】
脊柱支持装具であって、
複数の回転可能に連結する部品であって、
内側に面する連結部を画定する上側の回転可能な連結部分と、
反対側に位置し且つ反対向きの内側に面する連結部を画定する下側の回転可能な連結部分と、
をそれぞれ画定する、部品
を備える、脊柱支持装具であり、
隣接する連結部品のそれぞれの内側に面する連結部を、装具の長さに沿ってユーザにより設定可能な湾曲する支持面を形成するべくユーザにより設定可能な回転オフセットで互いに連結することができる、脊柱支持装具。
【請求項２】
前記回転可能な連結部分が、それぞれ、外側に面する連結部をさらに画定し、前記装具が、側板を有する複数の外側連結部品をさらに備え、前記側板が、隣接する連結部品の外側に面する連結部を連結する一対の内側に面する連結部を有する、請求項１に記載の脊柱支持装具。
【請求項３】
各連結部分が、隣接する回転可能に連結する部品の対応する凸状及び凹状円筒端外形との回転関節結合のために、或る半径を有する凸状円筒端外形と、同じ半径の反対側の凹状円筒端外形を備える、請求項１に記載の脊柱支持装具。
【請求項４】
前記凹状円筒端が、１８０°よりも小さい円弧にわたる、請求項３に記載の脊柱支持装具。
【請求項５】
前記凸状円筒端外形が、１８０°よりも大きい円弧にわたる、請求項３に記載の脊柱支持装具。
【請求項６】
前記凸状及び凹状円筒端外形が、隣接する回転可能に連結する部品間のおよそ＋３０°から−３０°の間の調節のために構成される、請求項３に記載の脊柱支持装具。
【請求項７】
前記外側連結部品が、それぞれ、前記側板と垂直なベアリングプレートを画定する、請求項２に記載の脊柱支持装具。
【請求項８】
前記ベアリングプレートと前記側板との間に９０°のブレーシングをさらに備える、請求項７に記載の脊柱支持装具。
【請求項９】
前記ベアリングプレートが、前記側板に対して内側と外側との両方へ延びる、請求項７に記載の脊柱支持装具。
【請求項１０】
前記回転可能な連結部分及び前記外側連結部品が、ボルトを横方向に挿入するためのそれぞれの連結部を通る同軸のボルト通り穴を画定する、請求項２に記載の脊柱支持装具。
【請求項１１】
前記ボルトのための相対するソケットをそれぞれ有する、複数の細長い板コネクタをさらに備え、各板コネクタが、隣接する外側連結部品の隣接する連結部間にわたるように構成される、請求項１０に記載の脊柱支持装具。
【請求項１２】
各板コネクタが、一対の内側に面する連結部を画定し、各側板が、一対の対応する外側に面する連結部を画定する、請求項１１に記載の脊柱支持装具。
【請求項１３】
前記上側の回転可能な連結部分の内側に面する連結部が、雄かみ合い部を備え、前記下側の回転可能な連結部分の内側に面する連結部が、対応する雌かみ合い部を備える、請求項１に記載の脊柱支持装具。
【請求項１４】
前記かみ合い部が、およそ１５°のオフセット増分でオフセットされた歯を備える、請求項１３に記載の脊柱支持装具。
【請求項１５】
前記回転可能な連結部分の外側に面する連結部が、雌かみ合い部を備え、前記側板の内側に面する連結部が、対応する雄かみ合い部を備える、請求項２に記載の脊柱支持装具。
【請求項１６】
前記側板の外側に面する連結部が、雌かみ合い部を画定し、前記細長い板コネクタの内側に面する連結部が、対応する雄かみ合い部を備える、請求項１１に記載の脊柱支持装具。
【請求項１７】
前記回転可能に連結する部品のサブセットが、管状装具部品の管を挿入するための後側管状区域を備える、請求項１に記載の脊柱支持装具。
【請求項１８】
前記管状装具部品をさらに備え、前記管状装具部品が、管状Ｔピース部品、９０°部品、及び平行オフセット部品のうちの少なくとも１つを備える、請求項１７に記載の脊柱支持装具。
【請求項１９】
前記部品の遠位端が、それを通じて接続されるサークリップのスルーピンを挿入するための穴を備える、請求項１８に記載の脊柱支持装具。
【請求項２０】
カーブ部分を支持する直角ブラケットを備える頭部支持部品をさらに備える、請求項７に記載の脊柱支持装具。
【請求項２１】
前記頭部支持部品が、隣接するベアリングプレートの前側面に取り付け可能である、請求項２０に記載の脊柱支持装具。
【請求項２２】
前記頭部支持部品が、前記隣接するベアリングプレートの前側面に横方向に調節可能に取り付け可能である、請求項２１に記載の脊柱支持装具。
【請求項２３】
前記側板の内側面が縦チャネルを画定し、前記回転可能に連結する部品の前側面が横チャネルを画定する、請求項２に記載の脊柱支持装具。
【発明の詳細な説明】
【技術分野】
【０００１】
本発明は、一般に、負傷者又は身体障害者のためのモジュラ脊柱支持装具に関する。
【背景技術】
【０００２】
身体障害又は負傷のために動かせない人々のための設定可能な脊柱支持装具が必要とされている。
【０００３】
装具は、脊柱を様々な位置で支えるように調節可能であるべきである。さらに、装具は、様々な可動性のアイテムに取り付け可能であるべきである。また、装具は十分に頑健であるべきである。
【０００４】
２０１０年１０月１４日のＵＳ２０１０／０２６２０５４Ａ１（サミット（ＳＵＭＭＩＴ）他）「以下Ｄ１とする」は、身体に基準点及び／又は他の印をつけることを含む、カスタム装具を製作する方法を開示している。その後、複数の角度から身体の複数の画像が得られる。画像は、身体の輪郭を決定するのに用いられ、カスタム装具を設計するのに他のマーキングが配置及び使用される。装具設計に開窓部を追加することができる。カスタム装具に開窓部を、単一部品構造として、又はカスタム装置を完成させるために組み立てられる複数部品で製作することができる。
【０００５】
２００８年１月８日のＵＳ７３１６６６０Ｂ１（モドグリン（ＭＯＤＧＬＩＮ））「以下Ｄ２とする」は、前側支持体及び後側支持体を含み、各支持体が、単一の実質的に硬質のラミネート材をもたらすべく一対の軟質の可撓性シート材の間に挟まれ互いに結合された可撓性発泡材及び実質的に硬質のプラスチックシート材を有するラミネートで作製された、脊柱を治療するための脊柱装具を開示している。
【０００６】
本発明は、従来技術の欠点を克服する又はその少なくともいくつかを実質的に改善することになる非医薬用の脊柱支持装具を提供しようとするものである、又は少なくとも代替を提供しようとするものである。
【０００７】
何らかの従来技術の情報が本明細書で言及される場合、このような言及は、その情報がオーストラリア又はあらゆる他の国での当業分野での共通の一般知識の一部をなすことの自認を構成するものではないと理解される。
【発明の概要】
【０００８】
身体障害者又は負傷者及び様々な選択された姿勢を支えるべく容易に設定可能な脊柱支持装具が本明細書で提供される。
【０００９】
具体的には、脊柱装具は、複数の回転可能に連結する部品を備える。回転可能に連結する部品は、装具の長さに沿ってユーザにより設定可能な支持湾曲を形成するべく様々なユーザにより設定可能な回転オフセットで列をなして互いに連結することができる。
【００１０】
さらに、好ましい実施形態では、回転可能に連結する部品は、その内側及びその外側で横に隣接するプレートと互いに連結し、これにより装具の構造完全性の強化のために各連結部分をその内側と外側との両方で支持する部分を画定する。
【００１１】
いくつかの実施形態では、装具は、装具の隣接する横に隣接するプレート間にさらに延び、これにより装具の構造的剛性をさらに強化する、細長い板コネクタをさらに備える。
【００１２】
一実施形態では、部品は、細長いボルトが横方向に挿入される、対応する雄雌かみ合い部により互いに連結される。かみ合い部は、１５°増分などの増分での回転オフセットを可能にする。一実施形態では、各隣接する回転可能に連結する部品は、隣接する回転可能に連結する部品に対して＋３０°から−３０°の間でオフセットすることができる。
【００１３】
したがって、上記のことを念頭において、一態様によれば、脊柱支持装具であって、内側に面する連結部を画定する上側の回転可能な連結部分と、反対側に位置し且つ反対向きの内側に面する連結部を画定する下側の回転可能な連結部分と、をそれぞれ画定する複数の回転可能に連結する部品を備え、隣接する連結部品のそれぞれの内側に面する連結部を、装具の長さに沿ってユーザにより設定可能な湾曲する支持面を形成するべくユーザにより設定可能な回転オフセットで互いに連結することができる、脊柱支持装具が提供される。
【００１４】
回転可能な連結部分は、それぞれ、外側に面する連結部をさらに画定してよく、装具は、側板を有する複数の外側連結部品をさらに備えてよく、側板は、隣接する連結部品の外側に面する連結部を連結する一対の内側に面する連結部を有する。
【００１５】
各連結部分は、隣接する回転可能に連結する部品の対応する凸状及び凹状円筒端外形との回転関節結合のために、或る半径を有する凸状円筒端外形と、同じ半径の反対側の凹状円筒端外形を備えてよい。
【００１６】
凹状円筒端は、１８０°よりも小さい円弧にわたる。
【００１７】
凸状円筒端外形は、１８０°よりも大きい円弧にわたり得る。
【００１８】
凸状及び凹状円筒端外形は、隣接する回転可能に連結する部品間のおよそ＋３０°から−３０°の間の調節のために構成され得る。
【００１９】
外側連結部品は、それぞれ、側板と垂直なベアリングプレートを画定し得る。
【００２０】
装具は、ベアリングプレートと側板との間に９０°のブレーシングをさらに備え得る。
【００２１】
ベアリングプレートは、側板に対して内側と外側との両方へ延び得る。
【００２２】
回転可能な連結部分及び外側連結部品は、ボルトを横方向に挿入するためのそれぞれの連結部を通る同軸のボルト通り穴を画定し得る。
【００２３】
装具は、ボルトのための相対するソケットをそれぞれ有する、複数の細長い板コネクタをさらに備えてよく、各板コネクタは、隣接する外側連結部品の隣接する連結部間にわたるように構成されてよい。
【００２４】
各板コネクタは、一対の内側に面する連結部を画定してよく、各側板は、一対の対応する外側に面する連結部を画定する。
【００２５】
上側の回転可能な連結部分の内側に面する連結部は、雄かみ合い部を備えてよく、下側の回転可能な連結部分の内側に面する連結部は、対応する雌かみ合い部を備えてよい。
【００２６】
かみ合い部は、およそ１５°のオフセット増分でオフセットされた歯を備えてよい。
【００２７】
回転可能な連結部分の外側に面する連結部は、雌かみ合い部を備えてよく、側板の内側に面する連結部は、対応する雄かみ合い部を備える。
【００２８】
側板の外側に面する連結部は、雌かみ合い部を画定してよく、細長い板コネクタの内側に面する連結部は、対応する雄かみ合い部を備える。
【００２９】
回転可能に連結する部品のサブセットは、管状装具部品の管をその中に挿入するための後側管状区域を備えてよい。
【００３０】
装具は、管状装具部品をさらに備えてよく、管状装具部品は、管状Ｔピース部品、９０°部品、及び平行オフセット部品のうちの少なくとも１つを備えてよい。
【００３１】
部品の遠位端は、それを通じて接続されるサークリップのスルーピンを挿入するための穴を備えてよい。
【００３２】
装具は、カーブ部分を支持する直角ブラケットを備える頭部支持部品をさらに備えてよい。
【００３３】
頭部支持部品は、隣接するベアリングプレートの前側面に取り付け可能であり得る。
【００３４】
頭部支持部品は、隣接するベアリングプレートの前側面に横方向に調節可能に取り付け可能であり得る。
【００３５】
側板の内側面は、縦チャネルを画定してよく、回転可能に連結する部品の前側面は、横チャネルを画定してよい。
【００３６】
本発明の他の態様も開示される。
【００３７】
本発明の範囲内に入り得る任意の他の形態があるにもかかわらず、本開示の好ましい実施形態がここで単なる例として添付図を参照しながら説明される。
【図面の簡単な説明】
【００３８】
【図１】一実施形態に係る組み立てられた脊柱支持装具の後側斜視図である。
【図２】一実施形態に係る図１の装具の対応する分解図である。
【図３】一実施形態に係る管状装具部品への装具の接続を例示する図である。
【図４】一実施形態に係る装具の構成部品の後側分解図である。
【図５】一実施形態に係るユーザを装具に保持するためのハーネスシステムの使用を例示する図である。
【図６】一実施形態に係るユーザを装具に保持するためのハーネスシステムの使用を例示する図である。
【図７】一実施形態に係る頭部支持部品を例示する図である。
【図８】一実施形態に係る取り付け用のＵクリップを内部に係合するためのＵチャネルをその周りに画定する回転可能に連結する部品を例示する図である。
【図９】一実施形態に係る管状装具部品の種々の構成部品を例示する図である。
【図１０】一実施形態に係る管状装具部品の構成部品の例示的な寸法を示す図である。
【図１１】一実施形態に係る管状装具部品の構成部品の例示的な寸法を示す図である。
【図１２】一実施形態に係る管状装具部品の構成部品の取り付け用のサークリップ及びスルーピンを例示する図である。
【発明を実施するための形態】
【００３９】
図１は、構築されたモジュラ脊柱支持装具１００の下側の図を示し、一方、図２は、その対応する分解図を示す。
【００４０】
一実施形態では、装具１００は、プラスチック材料から製造されてよい。さらに、次の説明から分かるように、本明細書で説明される種々の部品は、射出成形に適するように構成される。
【００４１】
方向の便宜上、図１で与えられる方向軸で言及がなされ、装具１００は、上側端／頭側端から下側端／尾側端へ長手方向に延び、前側面／上面及び後側面／下面を有し、且つ外方／外側部分及び内側／中間部分を有するものとして説明される。
【００４２】
図４は、複数の回転可能に連結する部品１０１を備える脊柱装具１００を例示する。各回転可能に連結する部品１０１は、上側の回転可能な連結部分１０２と、下側の回転可能な連結部分１０３を備え、これらは一体に形成され得る。上側の回転可能な連結部分１０２は、内側に面する連結部１０４を画定し、下側の回転可能な連結部分１０３は、反対側に位置し且つ反対向きの内側に面する連結部１０５を画定する。
【００４３】
隣接する回転可能に連結する部品１０１のそれぞれの内側に面する連結部１０４、１０５は、装具の長さ１００に沿ってユーザにより設定可能な支持湾曲を形成するべくユーザにより設定可能な回転オフセットで列をなして互いに連結することができる。
【００４４】
図４に示された実施形態では、回転可能な連結部分１０２、１０３は、それぞれ、外側に面する連結部１０６をさらに画定する。これに関して、装具１００は、それぞれ側板１０８を有する複数の外側連結部分１０７をさらに備えてよい。各側板１０８は、連結部品１０１の隣接するペアのそれぞれの外側に面する連結部１０６をユーザにより設定可能な回転オフセットで列をなして連結する、一対の内側に面する連結部１０９を画定する。このようにして、各回転可能な連結部分１０２、１０３は、内面と外面との両方で連結することができ、これにより、装具１００の構造的剛性を強化する。
【００４５】
図４に示された実施形態では、連結部１０４、１０５、１０９は、雄雌のかみ合い部を備えてよい。具体的には、上側の回転可能な連結部分１０２の内側に面する連結部１０４は、下側の回転可能な連結部分１０３の内側に面する連結部１０５の対応する雌かみ合い部の中に差し込まれる、雄かみ合い部１１０を画定する。
【００４６】
対応して、側板１０８の内側に面する連結部１０９は、回転可能な連結部分１０２、１０３のそれぞれの外側に面する連結部１０６の対応する雌かみ合い部１１１の中に差し込まれる、雄かみ合い部１１０を備える。
【００４７】
いくつかの実施形態では、かみ合い部の歯は、ユーザにより設定可能な１５°増分の回転オフセットを可能にするべく１５°オフセットされる。
【００４８】
図示した実施形態では、各連結部分１０２、１０３は、或る半径を有する凸状円筒端外形１１２と、同じ半径の反対側の凹状円筒端外形１１３を備える。したがって、凸状円筒外形１１２は、対応する凹状円筒端外形１１３内に回転可能に関節接続することができる。
【００４９】
図示した実施形態では、凸状円筒端外形１１２は、１８０°よりも大きい円弧にわたり、凹状円筒端外形１１３は、対応して、その端縁１１４が後側／前側の回転公差を許すように１８０°よりも小さい円弧にわたる。
【００５０】
いくつかの実施形態では、後側／前側の回転公差は、＋３０°から−３０°の間である。
【００５１】
外側連結部分１０７は、側板１０８に対して垂直なベアリングプレート１１５をさらに備えてよい。ベアリングプレート１１５は、前側脊柱支持面を画定する。９０°のブレーシング１１６が、補強のために側板１０９とベアリングプレート１１５との間にわたってよい。
【００５２】
図示した実施形態では、ベアリングプレート１１５は、側板１０８に対して外側と内側との両方へ延びる。
【００５３】
具体的には、図で分かるように、ベアリングプレート１１５は、側板１０８に対して外側へ延びる外側部分１１７と、側板１０８に対して内側へ延びる内側部分１１８を画定する。
【００５４】
いくつかの実施形態では、図１及び図２に例示されるように異なるスパンの外側部分１１７が設けられてよく、装具１００が尾骨からユーザのより広い上背部にかけて広くなるように、下の外側部分１１７は上の外側部分１１７よりも短い。
【００５５】
いくつかの実施形態では、各内側部分１１８の内側面１１９は、対向する各内側部分１１８の対向する内側面１１８との間におよそ７ｍｍの隙間を残してよい。さらに、各内側部分１１８は、その上側／下側の縁１２０が各隣接する内側部分１１８の隣接する上側／下側の縁１２０との隙間を残すような上側／下側の幅を備えてよい。さらに、上側／下側の縁１２０は、後方への傾斜を備えてよい。
【００５６】
内側部分１１８の上側／下側の縁１２０及び内側の縁１１９の周りの空間余裕は、その周りにパッドを係合させることを可能にする。
【００５７】
回転可能に連結する部品１０１と外側連結部品１０７は、図２に実質的に示される長い通しボルト１２１とナット１２２により互いに保持されてよい。図示した実施形態では、ボルト１２１は、アレンキーヘッドを備えてよい。
【００５８】
図４を参照すると、装具１００は、外側から挿入されるナット１２２と回転不可能に係合するための相対するナットソケット１２４を有する複数の細長い板コネクタ１２３をさらに備えてよい。したがって、組み立てのために、ナット１２２がソケット１２４内に入れられ、その中にボルト１２１の遠位端が内側から挿入される。その後、アレンキーを用いて、他のツールは用いずに、ユーザは、ソケット１２４内に回転不可能に係合されたナット１２２の中にボルト１２１をねじ込むことができる。
【００５９】
この実施形態によれば、ベアリングプレート１０８の外側面は、複数の外側に面する連結部１２５をさらに備えてよく、細長い板コネクタ１２３は、対応する外側に面する連結部１２５内でユーザにより設定可能な回転オフセットで回転可能に係合される、一対の対応する内側に面する連結部１２６を画定する。このようにして、各細長い板コネクタ１２３は、隣接する側板１０８の隣接する外側に面する連結部１２５間にわたるように構成される。
【００６０】
図示した実施形態では、板コネクタ１２３の内側に面する連結部１２６は、雄かみ合い部１２７を備え、側板１０８の外側に面する連結部１２５は、１５°の同じ回転オフセット増分を備えていながら、回転可能な連結部分１０１及び外側連結部分１０７の対応する雄かみ合い部１１０及び雌かみ合い部１１１よりも小さい直径の雌かみ合い部１２７を備える。
【００６１】
特定の回転可能に連結する部品１０１は、図３に実質的に示される管状装具部品１２９への取り付けのために後方へ延びる、取り付け可能な又は一体に形成された管コネクタ部分１２８を備えてよい。これに関して、管コネクタ部分１２８は、管状装具部品１２９の管区域を内部に挿入するための、ストラット１３１から支持される円筒部１３０を備えてよい。
【００６２】
図９〜図１２は、いくつかの実施形態におけるモジュラ装具部品１２９の構成部品を示す。具体的には、図９を参照すると、管状装具部品１２９は、様々な形状及び／又は構成の管状装具部品１２９を組み立てるために様々な組み合わせで用いられ得る、Ｔピースコネクタ１３２、直角コネクタ１３３、末端コネクタ１３４、及び平行オフセットコネクタ１３５を備えてよい。管状部品１３２〜１３５は、図１２に実質的に示されるサークリップ１３６及びスルーピン１３７を用いて互いに接続されてよい。具体的には、部品１３２、１３５の遠位端は、中央穴１３９を有するカラーを画定する周縁フランジ１３８を備えてよい。カラーは、サークリップ１３６と係合し、穴１３９は、部品１３２〜１３５をそこから延びる管状部品に係止するべく、スルーピン１３７を受け入れる。
【００６３】
Ｔピースコネクタ１３２及び直角コネクタ１３３の例示的な寸法が、それぞれ図１０及び図１１で与えられる。
【００６４】
図７は、図５及び図６に実質的に与えられた様態でユーザの頭部を支えるために外側連結部品１０７に接続可能な頭部支持部品１４０を示す。具体的には、外側連結部品１０７のベアリングプレート１１５は、対応する短いボルト１４２が挿入され得る、ボルトホール穴１４１を備えてよい。頭部支持部品１４０のボルトホール穴は、横方向にオフセットして調節するために細長くされてよい。
【００６５】
好ましい実施形態では、短いボルト１４２及び長いボルト１２１は、Ｍ６サイズのものである。
【００６６】
頭部支持部品１４０は、縦部材１４３及びこれと垂直な横部材１４４を備える直角ブラケット１６０を備える。横部材１４４は、ベアリングプレート１１５の対応する平坦な前側面と面一に延びる平坦な後側面１４４を有する。
【００６７】
直角ブラケット１６０は、ユーザの頭部及び／又は首を人間工学的に保持するカーブ部分１４５を支持する。パッドがカーブ部分１４５を覆ってよい。カーブ部分１４５は、縦部材１４３を越えて外側へ延びてよく、したがって、そのための支持ブレーシング１４６を備えてよい。
【００６８】
いくつかの実施形態では、縦部材１４３は、スイッチ制御、さらなる頭部支持装置／部品などの種々の周辺部品の取り付け用の取付けブラケット１４７及び関連する穴１４８を備えてよい。
【００６９】
図４を参照すると、側板１０８の内側面は、縦チャネル１４９を備えてよく、回転可能に連結する部品１０１の前側面は、対応する横チャネル１５０を備えてよく、これにより、図８に実質的に示される対応するＵクリップ１５１を保持するためのＵチャネルを画定する。具体的には、Ｕクリップ１５１は、そのように形成されたＵチャネルに適合するバンド１５２を備え、且つ、細長いストラップ穴１５４を備える遠位端１５３を備える。このようにして、ストラップが、該ストラップを用いて装具１００を固定するべくそれぞれの穴１５４内に係合されてよい。
【００７０】
図５及び図６は、ユーザを装具１００に保持するための例示的なハーネスシステム１５５を示す。この実施形態によれば、ハーネスシステム１５５は、ユーザの胴体の周りに固定する横ストラップ１５６及び対応する解放可能なクリップ１５７を備える。パッド入りジャケット１５８が、快適さのためにストラップ１５６とユーザとの間に介在してよい。
【００７１】
さらに、肩ストラップ１５９が、図示したようにユーザの脇の下から首の後ろへ延びてよい。
【００７２】
図２に示された実施形態では、丸みのある端を有する終端ブランク１６１が、回転可能に連結する部品１０１の列を終端するのに用いられてよい。各終端ブランク１６１は、最後から２番目の回転可能に連結する部品１０１の自由な対応する連結部分１０２、１０３と係合するための単一の回転可能な連結部分１０２、１０３を備える。
【００７３】
上記の説明では、解説する目的で、本発明の十分な理解をもたらすために特定の命名法を用いた。しかしながら、本発明を実施するために特定の詳細は必要とされないことが当業者には明らかであろう。したがって、本発明の特定の実施形態の上記の説明は、例示及び説明の目的で提示されている。それらは、網羅的となること又は本発明を開示された正確な形態に限定することを意図しておらず、明らかに、上記の教示を考慮して多くの修正及び変形が可能である。実施形態は、本発明の原理及びその実際の適用を最も良く解説するために選ばれ、説明されており、したがって、それらは、当業分野の他の当業者が、本発明及び種々の実施形態を、考慮される特定の使用に適するものとして種々の修正を伴って最良に使用できるようにする。以下の請求項及びそれらの均等物は、本発明の範囲を定めることを意図している。
【図１】
2020508836.tif 000003
【図２】
2020508836.tif 000004
【図３】
2020508836.tif 000005
【図４】
2020508836.tif 000006
【図５】
2020508836.tif 000007
【図６】
2020508836.tif 000008
【図７】
2020508836.tif 000009
【図８】
2020508836.tif 000010
【図９】
2020508836.tif 000011
【図１０】
2020508836.tif 000012
【図１１】
2020508836.tif 000013
【図１２】
2020508836.tif 000014
【国際調査報告】
2020508836.tif 000015
2020508836.tif 000016
2020508836.tif 000017